(57)【特許請求の範囲】
【請求項１】
基地局制御装置と、
前記基地局制御装置に接続された基地局と、
第１物理チャネル及び第２物理チャネルを用いて前記基地局と通信を行う移動局と
を具備し、
前記移動局は、
前記第１物理チャネルを用いる第１送信と前記第２物理チャネルを用いる第２送信とを制御する制御部と、
前記制御部に接続された送信部と
を備え、
前記基地局制御装置は、前記第１送信で用いられる複数の第１ＴＦＣ（Transport Format Combination）を第１ＴＦＣＳ（Transport Format Combination Set）として、前記基地局を介して前記移動局に通知し、前記第２送信で用いられる複数の第２ＴＦＣを第２ＴＦＣＳとして、前記基地局を介して前記移動局に通知し、
前記制御部は、前記第１送信に割当てられる第１割当電力と、前記第２送信に割当てられる第２割当電力とを決定し、前記移動局が使用可能な電力に対する前記第１割当電力及び前記第２割当電力のそれぞれの比はγ１及びγ２で表され（γ１及びγ２は０以上１以下）、
前記制御部は、前記第１割当電力で使用可能な一の前記第１ＴＦＣを、第１選択ＴＦＣとして前記第１ＴＦＣＳから選択し、前記第２割当電力で使用可能な一の前記第２ＴＦＣを、第２選択ＴＦＣとして前記第２ＴＦＣＳから選択し、
前記送信部は、前記基地局に対し、前記第１選択ＴＦＣを用いて前記第１送信を実行し、前記第２選択ＴＦＣを用いて前記第２送信を実行する
無線通信システム。
【請求項２】
請求項１に記載の無線通信システムであって、
前記制御部は、γ１とγ２の和が１になるようにγ１とγ２を決定し、決定されたγ１とγ２に基づいて前記第１割当電力と前記第２割当電力を決定する
無線通信システム。
【請求項３】
請求項１に記載の無線通信システムであって、
前記基地局制御装置は、γ１とγ２の和が１になるようにγ１とγ２を決定し、決定されたγ１とγ２を前記移動局の前記制御部に通知し、
前記制御部は、通知されたγ１とγ２に基づいて、前記第１割当電力と前記第２割当電力を決定する
無線通信システム。
【請求項４】
請求項１に記載の無線通信システムであって、
前記制御部は、γ１とγ２の和が１より大きく２より小さくなるようにγ１とγ２を決定し、決定されたγ１とγ２に基づいて、前記第１割当電力と前記第２割当電力を決定する
無線通信システム。
【請求項５】
請求項１に記載の無線通信システムであって、
前記基地局制御装置は、γ１とγ２の和が１より大きく２より小さくなるようにγ１とγ２を決定し、決定されたγ１とγ２を前記移動局の前記制御部に通知し、
前記制御部は、通知されたγ１とγ２に基づいて、前記第１割当電力と前記第２割当電力を決定する
無線通信システム。
【請求項６】
請求項２乃至５のいずれかに記載の無線通信システムであって、
前記第１物理チャネルに対応した複数のトランスポートチャネルの数が、前記第２物理チャネルに対応した複数のトランスポートチャネルの数より大きい場合、γ１はγ２よりも大きくなるように決定される
無線通信システム。
【請求項７】
請求項２乃至５のいずれかに記載の無線通信システムであって、
前記第１送信に要求される伝送速度が、前記第２送信に要求される伝送速度より大きい場合、γ１はγ２よりも大きくなるように決定される
無線通信システム。
【請求項８】
請求項２乃至５のいずれかに記載の無線通信システムであって、
前記第１送信に要求される遅延時間が、前記第２送信に要求される遅延時間より小さい場合、γ１はγ２よりも大きくなるように決定される
無線通信システム。
【請求項９】
請求項２乃至５のいずれかに記載の無線通信システムであって、
前記第１送信の優先度が、前記第２送信の優先度より大きい場合、γ１はγ２よりも大きくなるように決定される
無線通信システム。
【請求項１０】
請求項１に記載の無線通信システムであって、
前記基地局制御装置は、γ１が決定される範囲を０から１の間で決定し、決定された前記範囲を前記移動局に通知し、
前記制御部は、前記範囲の中からγ１を決定し、γ１とγ２の和が１になるようにγ２を決定する
無線通信システム。
【請求項１１】
請求項１０に記載の無線通信システムであって、
前記基地局制御装置は、前記範囲の大きさが通信のバースト性と相関を有するように、前記範囲を決定する
無線通信システム。
【請求項１２】
請求項１０又は１１に記載の無線通信システムであって、
前記第１物理チャネルに対応した複数のトランスポートチャネルの数がＭで表され（Ｍは自然数）、前記第２物理チャネルに対応した複数のトランスポートチャネルの数がＮで表される（Ｎは自然数）場合、
前記基地局制御装置は、前記範囲の中央値がＭ／（Ｍ＋Ｎ）で与えられるように、前記範囲を決定する
無線通信システム。
【請求項１３】
請求項１２に記載の無線通信システムであって、
前記制御部は、前記第１物理チャネルで送信される第１データ量と、前記第２物理チャネルで送信される第２データ量とを比較し、
前記制御部は、前記第１データ量が前記第２データ量より多い場合、γ１が前記中央値より大きくなるようにγ１を決定し、前記第１データ量が前記第２データ量より少ない場合、γ１が前記中央値より小さくなるようにγ１を決定し、前記第１データ量が前記第２データ量と等しい場合、γ１が前記中央値になるようにγ１を決定する
無線通信システム。
【請求項１４】
請求項１乃至１３のいずれかに記載の無線通信システムであって、
前記制御部は、前記第１選択ＴＦＣを用いた前記第１送信に必要な第１送信電力と、前記第２選択ＴＦＣを用いた前記第２送信に必要な第２送信電力との合計を計算し、
前記制御部は、前記合計が前記移動局の使用可能な最大電力より大きい場合、前記合計が前記最大電力に等しくなるように、前記第１送信電力と前記第２送信電力のうち少なくとも１つを調整し、
前記送信部は、調整された前記第１送信電力及び前記第２送信電力を用いて、前記第１送信及び前記第２送信を実行する
無線通信システム。
【請求項１５】
基地局を介して基地局制御装置に通信可能に接続された移動局であって、
第１物理チャネルを用いる第１送信と第２物理チャネルを用いる第２送信とを制御する制御部と、
前記制御部に接続された送信部と
を具備し、
前記制御部は、前記基地局制御装置から、前記第１送信で用いられる複数の第１ＴＦＣ（Transport Format Combination）を第１ＴＦＣＳ（Transport Format Combination Set）として受け取り、前記第２送信で用いられる複数の第２ＴＦＣを第２ＴＦＣＳとして受け取り、
前記制御部は、前記第１送信に割当てられる第１割当電力と、前記第２送信に割当てられる第２割当電力とを決定し、前記第１割当電力で使用可能な一の前記第１ＴＦＣを前記第１ＴＦＣＳから選択し、又、前記第２割当電力で使用可能な一の前記第２ＴＦＣを前記第２ＴＦＣＳから選択し、
前記送信部は、前記基地局に対し、前記一の第１ＴＦＣを用いて前記第１送信を実行し、前記一の第２ＴＦＣを用いて前記第２送信を実行する
移動局。
【請求項１６】
請求項１５に記載の移動局であって、
前記制御部は、前記第１割当電力と前記第２割当電力の合計が使用可能な電力と等しくなるように、前記第１割当電力と前記第２割当電力を決定する
移動局。
【請求項１７】
請求項１５に記載の移動局であって、
前記制御部は、前記第１割当電力と前記第２割当電力の合計が使用可能な電力より大きくなるように、前記第１割当電力と前記第２割当電力を決定する
移動局。
【請求項１８】
基地局を介して移動局と通信可能に接続された基地局制御装置であって、前記移動局は、第１物理チャネルを用いて第１送信を実行し、第２物理チャネルを用いて第２送信を実行し、前記第１送信に割当てられる第１割当電力と、前記第２送信に割当てられる第２割当電力とを決定し、前記第１割当電力で使用可能であり前記第１送信で用いられるＴＦＣ（Transport Format Combination）を第１ＴＦＣＳ（Transport Format Combination Set）から選択し、前記第２割当電力で使用可能であり前記第２送信で用いられるＴＦＣを第２ＴＦＣＳから選択し、
前記基地局制御装置は、
ＴＦＣＳ決定部と、
電力割当パラメータ決定部と、
前記ＴＦＣＳ決定部及び前記電力割当パラメータ決定部に接続された送信部と
を具備し、
前記ＴＦＣＳ決定部は、前記第１ＴＦＣＳ及び前記第２ＴＦＣＳを決定し、
前記電力割当パラメータ決定部は、前記移動局が使用可能な電力に対する前記第１割当電力及び前記第２割当電力のそれぞれの比を決定し、
前記送信部は、決定された前記第１ＴＦＣＳ、前記第２ＴＦＣＳ、及び前記比を、前記基地局を介して前記移動局に通知する
基地局制御装置。
【請求項１９】
基地局制御装置と、前記基地局制御装置に接続された基地局と、第１物理チャネル及び第２物理チャネルを用いて前記基地局と通信を行う移動局とを備える無線通信システムにおける無線通信方法であって、
（Ａ）前記基地局制御装置が、前記第１物理チャネルによる第１送信で用いられる複数の第１ＴＦＣ（Transport Format Combination）を、第１ＴＦＣＳ（Transport Format Combination Set）として、前記基地局を介して前記移動局に通知するステップと、
（Ｂ）前記基地局制御装置が、前記第２物理チャネルによる第２送信で用いられる複数の第２ＴＦＣを、第２ＴＦＣＳとして、前記基地局を介して前記移動局に通知するステップと、
（Ｃ）前記移動局が、前記第１送信に割当てられる第１割当電力と、前記第２送信に割当てられる第２割当電力とを決定するステップと、
（Ｄ）前記移動局が、前記第１割当電力で使用可能な一の前記第１ＴＦＣを、第１選択ＴＦＣとして前記第１ＴＦＣＳから選択するステップと、
（Ｅ）前記移動局が、前記第２割当電力で使用可能な一の前記第２ＴＦＣを、第２選択ＴＦＣとして前記第２ＴＦＣＳから選択するステップと、
（Ｆ）前記移動局が、前記基地局に対し、前記第１選択ＴＦＣを用いて前記第１送信を実行し、前記第２選択ＴＦＣを用いて前記第２送信を実行するステップと
を具備する無線通信方法。
【発明の詳細な説明】
【技術分野】
【０００１】
本発明は、無線通信システム及び無線通信方法に関し、特に、ＣＤＭＡ（Code Division Multiple Access）方式を利用した無線通信システム及び無線通信方法に関する。
【背景技術】
【０００２】
ＷＣＤＭＡ（Wideband CDMA）システムにおいて用いられる直接符号拡散多重方式によれば、送信側は拡散符号を用いて情報信号の拡散処理を実行し、受信側は受け取った信号に対して同じ拡散符号を用いて逆拡散処理を実行する。この直接符号拡散多重方式により、信号対雑音干渉比（ＳＮＩＲ）は向上する。受信側は、このＳＮＩＲが所定の品質以上であれば、希望の情報信号を復元することができる。また、拡散／逆拡散処理により、同一の周波数帯域で複数の回線を同時に使用することが可能となる。【０００３】
ＷＣＤＭＡにおいて、「送信データのシンボルレート」に対する「拡散符号のレート」は、「拡散率（SF: Spreading Factor）」と呼ばれる。一般に、この拡散率が低いほど、単位時間に送信できる情報のビット数は多くなり、伝送速度（ビットレート）は高くなる。しかしながら、逆拡散処理においてＳＮＩＲが低下するので、所定の品質を満たすために必要な送信電力が高くなる。ある回線の送信信号は他の回線の信号に干渉するという観点からは、送信電力は可能な限り抑制されることが好適である。つまり、各回線の要求伝送速度を満たすことができ、且つ、送信電力を可能な限り抑制することができる伝送速度を設定することが望まれている。このことは、ＷＣＤＭＡシステムにおける回線容量を向上させる上で重要である。【０００４】
以下、３ＧＰＰによる仕様書（非特許文献１：３ＧＰＰ  ＴＳ２５．３２１  ｖ５．７．０，“3rd Generation Partnership Project; Technical Specification Group Radio Access Network; Medium Access Control (MAC) protocol specification (Release 5)”，（２００３−１２）；  非特許文献２：３ＧＰＰ  ＴＲ２５．８９６  ｖ２．０．０  “3rd Generation Partnership Project; Technical Specification Group Radio Access Network; Feasibility Study for Enhanced Uplink for UTRA FDD (Release 6)”，（２００４−０３））を参照することによって、本明細書で用いられる、ＷＣＤＭＡシステムにおける一般的な技術用語及び概念を説明する。ＷＣＤＭＡシステムにおいて、レイヤ１がレイヤ２にサービスを提供するために「トランスポートチャネル」が定義される。トランスポートチャネルは、共通チャネルと、「個別チャネル（DCH: Dedicated Channel）」を含む。レイヤ１は、レイヤ２が要求する信号伝送を、その用途に応じたチャネルを使って提供する。「物理チャネル（Physical Channel）」は、このトランスポートチャネルによる伝送を実際の無線伝送路を使って実現するために、レイヤ１の無線ノード（移動局と基地局）間の伝送チャネルとして定義される。移動局は、複数のトランスポートチャネルのデータを、単一の物理チャネルで送信することができる。【０００５】
また、各トランスポートチャネルに対して、トランスポートフォーマット（TF: Transport Format）と呼ばれる送信フォーマットが設定される。このトランスポートフォーマットは、トランスポートブロックのサイズ、ＣＲＣビットサイズ、符号化方法、送信間隔（TTI: Transmission Time Interval）などを規定する。１つの物理チャネルに対応する複数のトランスポートチャネルのそれぞれに対して、複数のトランスポートフォーマットが設定される。１つの物理チャネルに対するそれら複数のトランスポートフォーマットの組み合わせは、「ＴＦＣ（Transport Format Combination）」と呼ばれる。ＷＣＤＭＡシステムにおいて、１つの移動局は、複数のＴＦＣの中から、送信に用いるＴＦＣ（以下、「選択ＴＦＣ」と参照される）を選択することが可能である。この複数のＴＦＣは、「ＴＦＣＳ（Transport Format Combination Set）」と呼ばれ、基地局制御装置によって各移動局の物理チャネルごとに許可され指定される。このように、１つの移動局は、基地局制御装置から指示されたＴＦＣＳ（複数のＴＦＣ）の中から１つの選択ＴＦＣを選択する。【０００６】
ＷＣＤＭＡシステムにおいて、移動局は、複数のＴＦＣのそれぞれを使用する場合に必要な送信電力（所要電力）をそれぞれ推定し、推定された所要電力に基づいて、複数のＴＦＣのそれぞれを以下に示される３種類の状態のいずれかに分類する。図１は、ＴＦＣが分類される３つの状態、及びＴＦＣの状態遷移を説明するための概念図である。３つの状態は、第１状態（Supported State）、第２状態（Excess-Power State）、及び第３状態（Blocked State）により構成される。状態に冠された数字が大きいほど、推定された所要電力は大きくなる。具体的には、移動局は、使用中のＴＦＣとその時の送信電力に基づいて、複数のＴＦＣのそれぞれを使用する場合に必要な所要電力を推定する。第１状態に属するＴＦＣに対して推定された所要電力が、過去の所定期間Ｔのうち期間Ｓ１以上にわたって、移動局の最大送信電力以上であった場合、そのＴＦＣは第２状態（Excess-Power State）に移される。第２状態に属するＴＦＣが、過去の所定期間Ｔのうち期間Ｓ２以上にわたって第２状態のままであった場合、そのＴＦＣは第３状態（Blocked State）に移される。第３状態に属するＴＦＣは、上記条件に適合するか否かに基づき、いずれかの状態に設定される。例えば、第３状態に属するＴＦＣに対して推定された所要電力が、過去の所定期間Ｔのうち期間Ｓ３以上にわたって、移動局の最大送信電力以下であった場合、そのＴＦＣは第１状態（Supported State）に戻される。【０００７】
移動局は、以上のように複数のＴＦＣの状態を観測し、第３状態（Blocked State）以外のＴＦＣの中から選択ＴＦＣを選択する。具体的には、移動局は、優先度が高いトランスポートチャネルほど高い伝送速度となるようなＴＦＣを、選択ＴＦＣとして決定する。このように決定された選択ＴＦＣを使用して、移動局は、複数のトランスポートチャネルでデータを送信する。このように、ＷＣＤＭＡシステムにおいては、移動局が、上り回線(Uplink)のパケット伝送における伝送形式を決定する。各ＴＦＣの状態は、長時間の伝播路変動を基に決定されている。そのため、フェージング変動などによって瞬時的には伝搬路が変動している場合でも、長期平均的には要求された品質を満たすことができるＴＦＣが選択される（非特許文献１参照）。【０００８】
また、ＷＣＤＭＡシステムのトランスポートチャネルにおいて、上述のＤＣＨ（Dedicated Channel）に加えて、上り回線の高速パケット伝送方式（ＥＤＣＨ：Enhanced uplink DCH）が検討されている（非特許文献２参照）。例えば、ＤＣＨによって通話データの送信が行われ、ＥＤＣＨによってファイルの転送が行われる。このＥＤＣＨによれば、伝送速度等の上り回線のパケット伝送方式を、基地局が制御することが検討されている。その理由は以下の通りである。【０００９】
一般的に、ＷＣＤＭＡシステムにおいて、基地局は、希望波と雑音電力の割合である「ノイズライズ」を測定する。このノイズライズが所定の閾値を超えないように、基地局制御装置が、移動局の接続数やＴＦＣＳを制御する。しかし、ノイズライズを測定した基地局から基地局制御装置への情報伝達、及び基地局制御装置から移動局への情報伝達には所定の時間が必要である。そのため、瞬間的なノイズライズの変動に対応して、基地局制御装置が、移動局数やＴＦＣＳを制御することは難しい。従って、従来のＷＣＤＭＡシステムにおいては、ノイズライズの平均値が所定の閾値よりも十分に小さくなるように、移動局数やＴＦＣＳを設定していた。【００１０】
そこで、ＥＤＣＨに使用されるＴＦＣの選択において、基地局は、測定したノイズライズに基づいてＴＦＣＳの中から使用を許可する複数のＴＦＣを選び、その複数のＴＦＣのうち伝送速度が最も大きくなるＴＦＣ（以下、「最大ＴＦＣ」と参照される）を移動局に高速に指示することが検討されている。この時、移動局は、上述の選択ＴＦＣを決定する際に、各ＴＦＣの状態（図１参照）と共に、基地局によって指示された最大ＴＦＣをも考慮に加える。すなわち、移動局は、第１状態あるいは第２状態に属するＴＦＣであり、且つ、最大ＴＦＣによる伝送速度以下になるＴＦＣを、ＴＦＣＳから選択する。これにより、ノイズライズの変動幅は低減され、上述の閾値を高く設定することが可能となる。つまり、接続可能な移動局数が増加し、最大ＴＦＣの設定も高くなる。従って、上り回線のカバレッジやキャパシティが向上する。【００１１】
上記のように、移動局は、ＤＣＨとＥＤＣＨを使用してデータを送信する。この時、ＴＦＣ選択処理は、ＤＣＨとＥＤＣＨの双方について実行される必要がある。上述の通り、このＴＦＣ選択処理において、推定された所要電力が、過去の所定期間Ｔのうち期間Ｓ以上にわたって、移動局の最大送信電力ＰＭＡＸより大きいか否かが判定される。これにより、ＤＣＨに適用されるＴＦＣＳが示す複数のＴＦＣのそれぞれの状態、及びＥＤＣＨに適用されるＴＦＣＳが示す複数のＴＦＣのそれぞれの状態が決定される。ここで、区別のため、本明細書においては、ＥＤＣＨに使用されるＴＦＣは「ＥＴＦＣ」と参照され、複数のＥＴＦＣのセットは「ＥＴＦＣＳ」と参照されることとする。【００１２】
図２は、ある移動局における複数のＴＦＣと複数のＥＴＦＣの状態、及びそれらを使用する際の送信電力のレベルの１例を示す。伝送速度（ビットレート）が高い時、所定の品質を満たすために必要な所要電力は高くなり、伝送速度が低いとき、その所要電力は低くなる。従って、図２において、Ｚ軸は、電力と共に伝送速度をも示す。図２において、ＥＴＦＣＳは、ＥＴＦＣ１〜ＥＴＦＣ６を含み、ＴＦＣＳは、ＴＦＣ１〜ＴＦＣ８を含む。従来技術において、複数のＴＦＣ及び複数のＥＴＦＣのそれぞれの状態は、移動局の最大送信電力ＰＭＡＸを基準として判定される。例えば、図２において、ＥＴＦＣ１〜ＥＴＦＣ３は、第１状態（Supported State）に分類され、ＥＴＦＣ４は、第２状態（Excess-Power State）に分類され、ＥＴＦＣ５、ＥＴＦＣ６は、第３状態（Blocked State）に分類される。同様に、ＴＦＣ１〜ＴＦＣ５は、第１状態に分類され、ＴＦＣ６は、第２状態（Excess-Power State）に分類され、ＴＦＣ７、ＴＦＣ８は、第３状態に分類される。この時、移動局は、送信に使用するＥＴＦＣ及びＴＦＣとして、それぞれＥＴＦＣ４及びＴＦＣ６を選択する。【００１３】
この場合、ＥＴＦＣ４を用いて送信するのに必要な送信電力はＰ−ＥＤＣＨであり、ＴＦＣ６を用いて送信するのに必要な送信電力はＰ−ＤＣＨである。よって、必要な合計送信電力ＰＡＬＬ（ＰＡＬＬ＝Ｐ−ＥＤＣＨ＋Ｐ−ＤＣＨ）は、移動局の最大送信電力ＰＭＡＸよりも大幅に大きくなる。このような場合、合計送信電力ＰＡＬＬが最大送信電力ＰＭＡＸ以下となるように、Ｐ−ＥＤＣＨとＰ−ＤＣＨのいずれか又は両方を削減する必要がある。その結果、要求品質を満たすために必要な電力が少なくとも１つのチャネルに割り当てられず、品質が劣化してしまう。【００１４】
関連する技術として、以下のものが知られている。【００１５】
特開２００２−１６４８７１号公報には、復号化装置が開示されている。この復号化装置は、受信手段と、判定手段と、復号手段とを具備する。受信手段は、受信データのフォーマットを示す信号を受信する。判定手段は、物理レイヤより上位のレイヤから通知される情報に従って受信データのフォーマット候補を限定した後、上記信号を用いて上記候補内から受信データのフォーマットを判定する。復号手段は、判定されたフォーマットに従って受信データを復号する。【００１６】
特開２００２−２４６９４９号公報には、ＣＤＭＡ装置が開示されている。このＣＤＭＡ装置は、ＴＦＣＩ出力手段と、ＳＩＲ出力手段と、重み付け加算手段と、決定手段とを具備している。ＴＦＣＩ出力手段は、受信ベースバンド信号を逆拡散して得られる相関値から、転送フォーマットの組み合わせを示すＴＦＣＩ値をフレーム毎に抽出して出力する。ＳＩＲ出力手段は、相関値に基づいて受信ベースバンド信号に含まれる干渉波のレベルを示すＳＩＲ信号をフレーム毎に生成し出力する。重み付け加算手段は、ＳＩＲ信号によってＴＦＣＩ値に重み付けし、重み付けされたＴＦＣＩ値を加算する。決定手段は、重み付け加算手段の加算結果に基づいて、受信ベースバンド信号の復号処理に使用されるフォーマット情報を決定する。【００１７】
特開２００３−８６３５号公報には、ＣＤＭＡシステム、特に移動体通信システム中で、複数のデータフローをスケジューリングする方法が開示されている。この方法は、以下に列挙されるステップを有する。（Ａ）プロトコルデータユニットを含む各データフローのサービス品質要求条件を受信するステップ；（Ｂ）通信チャネル上でのデータ送信のために供されるプロトコルデータユニットの優先順位を決定するステップ；（Ｃ）定義された優先順位に関して、かつ割り当てられた無線資源制限に依存して、物理レイヤにより送信されるべきトランスポートブロックをダイナミックに決定することにより、プロトコルデータユニットを供するステップ；（Ｄ）各トランスポートブロックに、それぞれ関連するトランスポートフォーマットを割当てるステップ；及び（Ｅ）割り当てられたそれぞれ関連するトランスポートフォーマットを使用することにより、物理レイヤにより送信されるべき決定されたトランスポートブロックを有するトランスポートブロックセットを生成するステップ。【００１８】
特開２００３−２３４７２０号公報には、移動体通信における情報多重方法が開示されている。この移動体通信によれば、デコードが可能な最短データ時間長である伝送時間間隔が、予め定められた複数通りの中からそれぞれ選択される。これにより生成される複数の情報は、同一無線フレーム内にマルチプレックスされ、無線回線上で多重伝送される。また、上記複数の情報のそれぞれについての伝送時間間隔内でのデータ数の組合せを示す伝送フォーマット組合せ識別子が、各無線フレーム内に挿入され伝送される。上記伝送時間間隔がより長い情報の伝送時間間隔内でのデータ数が変わるとき、伝送フォーマット組合せ識別子の上位側のビットが変化するように、伝送フォーマット組合せ識別子が選定され伝送される。【００１９】
特開２００３−３０４１９５号公報には、送信装置における送信フォーマット組み合わせ情報の選択方法が開示されている。この送信装置は、各トランスポートチャネルにおける所定時間間隔の送信データビット長の組合わせを規定する送信フォーマット組み合わせ情報を選択する。そして、送信装置は、該選択された送信フォーマット組み合わせ情報に基いて、各トランスポートチャネルの送信データを多重して送信する。該選択方法によれば、送信フォーマット組み合わせ情報が、各トランスポートチャネルの多重送信データ量に基いてクラス分けされる。そして、送信電力値に基いて、選択すべき送信フォーマット組み合わせ情報のクラスが決定される。そして、該決定されたクラス内より、送信フォーマット組み合わせ情報が選択される。
【発明の開示】
【００２０】
本発明の目的は、要求される送信品質を満たすように、複数の物理チャネル間で送信電力リソースを配分することができる無線通信システム、移動局、基地局制御装置、及び無線通信方法を提供することにある。
【００２１】
また、本発明の他の目的は、送信電力リソースを有効に活用することができる無線通信システム、移動局、基地局制御装置、及び無線通信方法を提供することにある。
【００２２】
また、本発明の更に他の目的は、情報処理量及びサービス品質を向上させることができる無線通信システム、移動局、基地局制御装置、及び無線通信方法を提供することにある。
【００２３】
本発明の第１の観点において、無線通信システムは、基地局制御装置と、その基地局制御装置に接続された基地局と、第１物理チャネル及び第２物理チャネルを用いて基地局と通信を行う移動局とを備える。この移動局は、第１物理チャネルを用いる第１送信と第２物理チャネルを用いる第２送信とを制御する制御部と、制御部に接続された送信部とを備える。基地局制御装置は、上記第１送信で用いられる複数の第１ＴＦＣ（Transport Format Combination）を第１ＴＦＣＳ（Transport Format Combination Set）として、基地局を介して移動局に通知する。また、基地局制御装置は、上記第２送信で用いられる複数の第２ＴＦＣを第２ＴＦＣＳとして、基地局を介して移動局に通知する。制御部は、第１送信に割当てられる第１割当電力と、第２送信に割当てられる第２割当電力とを決定する。制御部は、第１割当電力で使用可能な１つの第１ＴＦＣを、第１選択ＴＦＣとして第１ＴＦＣＳから選択する。また、制御部は、第２割当電力で使用可能な１つの第２ＴＦＣを、第２選択ＴＦＣとして第２ＴＦＣＳから選択する。送信部は、基地局に対し、上記第１選択ＴＦＣを用いて第１送信を実行し、上記第２選択ＴＦＣを用いて第２送信を実行する。
【００２４】
移動局が使用可能な電力に対する第１割当電力及び第２割当電力のそれぞれの比は、γ１及びγ２で表される。これらγ１及びγ２は、０以上１以下の数である。
【００２５】
本発明に係る無線通信システムにおいて、制御部は、γ１とγ２の和が１になるようにγ１とγ２を決定する。また、決定されたγ１とγ２に基づいて、制御部は、第１割当電力と第２割当電力を決定する。
【００２６】
本発明に係る無線通信システムにおいて、基地局制御装置は、γ１とγ２の和が１になるようにγ１とγ２を決定し、決定されたγ１とγ２を移動局の制御部に通知する。制御部は、通知されたγ１とγ２に基づいて、第１割当電力と第２割当電力を決定する。
【００２７】
本発明に係る無線通信システムにおいて、制御部は、γ１とγ２の和が１より大きく２より小さくなるようにγ１とγ２を決定する。また、決定されたγ１とγ２に基づいて、制御部は、第１割当電力と第２割当電力を決定する。
【００２８】
本発明に係る無線通信システムにおいて、基地局制御装置は、γ１とγ２の和が１より大きく２より小さくになるようにγ１とγ２を決定し、決定されたγ１とγ２を移動局の制御部に通知する。制御部は、通知されたγ１とγ２に基づいて、第１割当電力と第２割当電力を決定する。
【００２９】
本発明に係る無線通信システムにおいて、第１物理チャネルに対応した複数のトランスポートチャネルの数が、第２物理チャネルに対応した複数のトランスポートチャネルの数より大きい場合、γ１はγ２よりも大きくなるように決定される。
【００３０】
本発明に係る無線通信システムにおいて、第１送信に要求される伝送速度が、第２送信に要求される伝送速度より大きい場合、γ１はγ２よりも大きくなるように決定される。
【００３１】
本発明に係る無線通信システムにおいて、第１送信に要求される遅延時間が、第２送信に要求される遅延時間より小さい場合、γ１はγ２よりも大きくなるように決定される。
【００３２】
本発明に係る無線通信システムにおいて、第１送信の優先度が、第２送信の優先度より大きい場合、γ１はγ２よりも大きくなるように決定される。
【００３３】
本発明に係る無線通信システムにおいて、基地局制御装置は、γ１が決定される範囲を０から１の間で決定し、決定された範囲を移動局に通知する。制御部は、通知された範囲の中からγ１を決定し、γ１とγ２の和が１になるようにγ２を決定する。ここで、基地局制御装置は、範囲の大きさが通信のバースト性と相関を有するように、上記範囲を決定する。また、第１物理チャネルに対応した複数のトランスポートチャネルの数がＭで表され（Ｍは自然数）、第２物理チャネルに対応した複数のトランスポートチャネルの数がＮで表される（Ｎは自然数）場合、基地局制御装置は、上記範囲の中央値がＭ／（Ｍ＋Ｎ）で与えられるように、範囲を決定する。更に、制御部は、第１物理チャネルで送信される第１データ量と、第２物理チャネルで送信される第２データ量とを比較する。第１データ量が第２データ量より多い場合、制御部は、γ１が中央値より大きくなるようにγ１を決定する。第１データ量が第２データ量より少ない場合、制御部は、γ１が中央値より小さくなるようにγ１を決定する。第１データ量が第２データ量と等しい場合、制御部は、γ１が中央値になるようにγ１を決定する。
【００３４】
本発明に係る無線通信システムにおいて、制御部は、第１選択ＴＦＣを用いた第１送信に必要な第１送信電力と、第２選択ＴＦＣを用いた第２送信に必要な第２送信電力との合計を計算する。その合計が移動局の使用可能な最大電力より大きい場合、制御部は、その合計が最大電力に等しくなるように、第１送信電力と第２送信電力のうち少なくとも１つを調整する。送信部は、調整された第１送信電力及び第２送信電力を用いて、第１送信及び第２送信を実行する。
【００３５】
本発明の第２の観点において、移動局は、第１物理チャネルを用いる第１送信と第２物理チャネルを用いる第２送信とを制御する制御部と、制御部に接続された送信部とを備える。制御部は、基地局制御装置から、第１送信で用いられる複数の第１ＴＦＣを第１ＴＦＣＳとして受け取り、第２送信で用いられる複数の第２ＴＦＣを第２ＴＦＣＳとして受け取る。制御部は、第１送信に割当てられる第１割当電力と、第２送信に割当てられる第２割当電力とを決定する。また、制御部は、第１割当電力で使用可能な１つの第１ＴＦＣを第１ＴＦＣＳから選択し、又、第２割当電力で使用可能な１つの第２ＴＦＣを第２ＴＦＣＳから選択する。送信部は、基地局に対し、上記１つの第１ＴＦＣを用いて第１送信を実行し、上記１つの第２ＴＦＣを用いて第２送信を実行する。
【００３６】
本発明に係る移動局において、制御部は、第１割当電力と第２割当電力の合計が使用可能な電力と等しくなるように、第１割当電力と第２割当電力を決定する。あるいは、制御部は、第１割当電力と第２割当電力の合計が使用可能な電力より大きくなるように、第１割当電力と第２割当電力を決定する。
【００３７】
本発明の第３の観点において、基地局制御装置は、ＴＦＣＳ決定部と、電力割当パラメータ決定部と、ＴＦＣＳ決定部及び電力割当パラメータ決定部に接続された送信部とを備える。ＴＦＣＳ決定部は、第１ＴＦＣＳ及び第２ＴＦＣＳを決定する。電力割当パラメータ決定部は、移動局が使用可能な電力に対する第１割当電力及び第２割当電力のそれぞれの比を決定する。送信部は、決定された第１ＴＦＣＳ、第２ＴＦＣＳ、及び比を、基地局を介して移動局に通知する。
【００３８】
本発明に係る無線通信方法は、（Ａ）基地局制御装置が、第１物理チャネルによる第１送信で用いられる複数の第１ＴＦＣを、第１ＴＦＣＳとして、基地局を介して移動局に通知するステップと、（Ｂ）基地局制御装置が、第２物理チャネルによる第２送信で用いられる複数の第２ＴＦＣを、第２ＴＦＣＳとして、基地局を介して移動局に通知するステップと、（Ｃ）移動局が、第１送信に割当てられる第１割当電力と、第２送信に割当てられる第２割当電力を決定するステップと、（Ｄ）移動局が、第１割当電力で使用可能な１つの第１ＴＦＣを、第１選択ＴＦＣとして第１ＴＦＣＳから選択するステップと、（Ｅ）移動局が、第２割当電力で使用可能な１つの第２ＴＦＣを、第２選択ＴＦＣとして第２ＴＦＣＳから選択するステップと、（Ｆ）移動局が、基地局に対し、第１選択ＴＦＣを用いて第１送信を実行し、第２選択ＴＦＣを用いて第２送信を実行するステップとを備える。
【００３９】
本発明に係る無線通信システム、移動局、基地局制御装置、及び無線通信方法によれば、要求される送信品質を満たすように、複数の物理チャネル間で送信電力リソースを配分することが可能となる。
【００４０】
本発明に係る無線通信システム、移動局、基地局制御装置、及び無線通信方法によれば、送信電力リソースを有効に活用することが可能となる。
【００４１】
本発明に係る無線通信システム、移動局、基地局制御装置、及び無線通信方法によれば、情報処理量及びサービス品質を向上させることが可能となる。
【図面の簡単な説明】
【００４２】
【図１】図１は、ＷＣＤＭＡシステムにおけるＴＦＣの状態遷移を示す概念図である。
【図２】図２は、従来のＷＣＤＭＡシステムにおける無線通信方法を説明するための図である。
【図３】図３は、本発明に係る無線通信システムの構成を示す概念図である。
【図４】図４は、本発明に係る移動局の構成を示すブロック図である。
【図５】図５は、本発明に係る基地局制御装置の構成を示すブロック図である。
【図６Ａ】図６Ａは、本発明に係る無線通信方法を説明するための図である。
【図６Ｂ】図６Ｂは、本発明に係る無線通信方法を説明するための図である。
【図６Ｃ】図６Ｃは、本発明に係る無線通信方法を説明するための図である。
【図７】図７は、本発明の第一乃至第三の実施の形態に係る無線通信方法を説明するための図である。
【図８】図８は、本発明の第一の実施の形態に係る無線通信方法を説明するための図である。
【図９】図９は、本発明の第四及び第五の実施の形態に係る無線通信方法を説明するための図である。
【発明を実施するための最良の形態】
【００４３】
添付図面を参照して、本発明による無線通信システム及び無線通信方法を説明する。【００４４】
図３は、本発明に係る無線通信システムの構成を示す概念図である。無線通信システム１０は、基地局制御装置３００と、基地局制御装置３００に通信可能に接続された複数の基地局２００と、複数の基地局２００の各々に接続された複数の移動局１００を備える。例えば、図３において、基地局制御装置３００には、基地局２００Ａと基地局２００Ｂが接続されており、基地局２００Ａ及び基地局２００Ｂのそれぞれは、通信エリアとしてセル５０Ａ及びセル５０Ｂを有する。また、基地局２００Ａには、移動局１００ａ〜１００ｃが無線で接続されており、基地局２００Ｂには、移動局１００ｄ、１００ｅが無線で接続されている。尚、基地局２００の数、移動局１００の数は、図３に示されたものに限られない。【００４５】
本発明に係る無線通信システム１０において、基地局２００は、複数の物理チャネルを使用した通信が可能である。例えば、図３において、基地局２００Ａは、ＤＣＨ及びＥＤＣＨを使用した通信が可能であり、基地局２００Ｂは、ＤＣＨを使用した通信が可能であるとする。また、移動局１００ａ、１００ｃは、ＤＣＨ及びＥＤＣＨを使用して、基地局２００Ａと通信を行っている。移動局１００ｂは、ＤＣＨのみを使用して、基地局２００Ａと通信を行っている。移動局１００ｄ、１００ｅは、ＤＣＨのみを使用して、基地局２００Ｂと通信を行っている。また、このＤＣＨは、ユーザ情報を送信するためのＤＰＤＣＨ（Dedicated Physical Data Channel）と、制御信号を送信するためのＤＰＣＣＨ（Dedicated Physical Control Channel）を含む。【００４６】
図４は、本発明に係る移動局１００の構成を示すブロック図である。図４に示されるように、移動局１００は、制御部１０１と、制御部１０１に接続された送信処理部１４０を備えている。制御部１０１は、後に詳しく示されるように、通信に用いられるＴＦＣやＥＴＦＣの選択処理や送信電力の制御などを行う。送信処理部１４０は、制御部１０１によって決定されたＴＦＣ、ＥＴＦＣ、及び送信電力に基づいて、実際にデータを基地局２００に送信する。また、送信処理部１４０は、実際の送信電力を測定する送信電力測定部１４１を備えている。更に、制御部１０１は、制御信号分離部１６０を介して受信処理部１５０に接続されている。この受信処理部１５０は、基地局２００からの信号を受け取り、その信号を制御部１０１に供給する。【００４７】
制御部１０１は、ＤＣＨ送信制御部１１０と、ＥＤＣＨ送信制御部１２０と、送信電力制御部１３０とを備えている。ＤＣＨ送信制御部１１０は、ＤＣＨを使用した送信を制御し、ＥＤＣＨ送信制御部１２０は、ＥＤＣＨを使用した送信を制御する。このＤＣＨ送信制御部１１０は、ＴＦＣＳからＴＦＣを選択するＴＦＣ選択部１１１と、ＤＣＨで送信されるデータが格納されるＤＣＨバッファ１１５を備える。また、ＥＤＣＨ送信制御部１２０は、ＥＴＦＣＳからＥＴＦＣを選択するＥＴＦＣ選択部１２１と、ＥＤＣＨで送信されるデータが格納されるＥＤＣＨバッファ１２５を備えている。【００４８】
送信電力制御部１３０は、ＤＣＨ送信制御部１１０及びＥＤＣＨ送信制御部１２０に接続されている。この送信電力制御部１３０は、ＤＣＨ及びＥＤＣＨのそれぞれに対して電力を割り当てる電力割当部１３１と、決定された送信電力を調整する調整部１３２とを備えている。【００４９】
図５は、本発明に係る基地局制御装置３００の構成を示すブロック図である。基地局制御装置３００は、受信処理部３１０、制御部３２０、電力割当パラメータ決定部３３０、ＴＦＣＳ決定部３４０、信号合成部３５０、及び送信処理部３６０を備えている。【００５０】
次に、図３〜図５で示された構成を有する無線通信システム１０の動作を詳細に説明する。【００５１】
図５を参照して、基地局制御装置３００の受信処理部３１０は、基地局２００からデータを受け取り、そのデータを制御部３２０に送る。制御部３２０は、受け取ったデータをネットワーク（図示されない）に送る。また、制御部３２０は、電力割当パラメータ決定部３３０、ＴＦＣＳ決定部３４０、信号合成部３５０の動作を制御する。例えば、制御部３２０は、移動局１００が通信中のサービスの種類に関する情報を抽出し、その情報を電力割当パラメータ決定部３３０とＴＦＣＳ決定部３４０に送る。このサービスの種類として、例えば、ＦＴＰによるファイル転送といったバースト性の高いサービスや、ストリーミングといったバースト性の低いサービスが挙げられる。【００５２】
電力割当パラメータ決定部３３０は、「電力割当パラメータ」を生成する。この「電力割当パラメータ」は、移動局１００の電力割当部１３１がＤＣＨとＥＤＣＨのそれぞれに対して電力を割当てる際に、その電力割当部１３１によって参照されるパラメータである。そして、この電力割当パラメータの指し示す内容は、後に示される複数の実施例によって異なる。生成された電力割当パラメータは、信号合成部３５０に出力される。【００５３】
ＴＦＣＳ決定部３４０は、制御部３２０から送られるサービスの種類に関する情報に基づいて、移動局１００が使用してもよいＴＦＣＳとＥＴＦＣＳを決定する。上述のように、このＴＦＣＳは、ＤＣＨによる送信で用いられる複数のＴＦＣを示し、ＥＴＦＣＳは、ＥＤＣＨによる送信で用いられる複数のＥＴＦＣを示す。決定されたＴＦＣＳとＥＴＦＣＳは、信号合成部３５０に出力される。【００５４】
信号合成部３５０は、ＴＦＣＳとＥＴＦＣＳ、及び電力割当パラメータの情報を合成し、その合成信号を送信処理部３６０に送る。送信処理部３６０は、合成信号を含む制御信号を、下り回線のＤＣＨを使用して、基地局２００及び移動局１００に送信する。【００５５】
基地局２００は、上り回線で受信するノイズライズを測定する。そして、そのノイズライズが所定の閾値以下となるように、基地局２００は、ＥＤＣＨの最大ＴＦＣを所定のタイミングで更新する。この最大ＴＦＣは、移動局１００に通知される。【００５６】
また、図４を参照して、移動局１００の受信処理部１５０は、基地局２００からの信号を受け取り、受け取った信号を制御信号分離部１６０に送る。制御信号分離部１６０は、受け取った信号をユーザ情報と制御信号に分離し、ユーザ情報を上位レイヤに送る。一方、上述のように「電力割当てパラメータ」を含む制御信号は、送信電力制御部１３０の電力割当部１３１に送られる。この電力割当パラメータの指し示す内容は、後に示される複数の実施例によって異なる。【００５７】
本発明に係る移動局１００において、電力割当部１３１は、ＤＣＨを使用する送信に割当てられる割当電力ＡＰ−ＤＣＨと、ＥＤＣＨを使用する送信に割当てられる割当電力ＡＰ−ＥＤＣＨを別々に決定する。この割当電力ＡＰ−ＤＣＨと割当電力ＡＰ−ＥＤＣＨは、以下の式で与えられる。【００５８】
ＡＰ−ＤＣＨ  ＝γＤＣＨ×ＰＡＶＬ
ＡＰ−ＥＤＣＨ＝γＥＤＣＨ×ＰＡＶＬ    …（１）【００５９】
ここで、ＰＡＶＬは、ＤＣＨとＥＤＣＨによる送信に割り当て可能な割当可能電力である。例えば、割当可能電力ＰＡＶＬとして、移動局１００の最大送信電力ＰＭＡＸが挙げられる。この式（以下、式（１）と参照される）に示されるように、電力割当係数γＤＣＨは、割当可能電力ＰＡＶＬに対する割当電力ＡＰ−ＤＣＨの比として定義される。また、電力割当係数γＥＤＣＨは、割当可能電力ＰＡＶＬに対する割当電力ＡＰ−ＥＤＣＨの比として定義される。これら電力割当係数γＤＣＨ及びγＥＤＣＨは、０以上１以下の数である。尚、上述のように、ＤＣＨは、ユーザ情報を送信するためのＤＰＤＣＨと制御信号を送信するためのＤＰＣＣＨとを含み、割当電力ＡＰ−ＤＣＨは、ＤＰＤＣＨとＤＰＣＣＨの両方に対する電力を含むものとする。【００６０】
次に、電力割当部１３１は、ＤＣＨ送信制御部１１０のＴＦＣ選択部１１１に、決定された割当電力ＡＰ−ＤＣＨを通知する。また、電力割当部１３１は、ＥＤＣＨ送信制御部１２０のＥＴＦＣ選択部１２１に、決定された割当電力ＡＰ−ＥＤＣＨを通知する。本発明によれば、複数のＴＦＣ及び複数のＥＴＦＣの状態を判定する際の基準として、それぞれ割当電力ＡＰ−ＤＣＨ及び割当電力ＡＰ−ＥＤＣＨが使用される。すなわち、ＴＦＣ及びＥＴＦＣの選択処理は、共通の基準（最大送信電力ＰＭＡＸ）ではなく、別々の基準（割当電力ＡＰ−ＤＣＨ、割当電力ＡＰ−ＥＤＣＨ）に従って実行される。【００６１】
送信処理部１４０の送信電力測定部１４１は、使用中のＴＦＣに対する実送信電力を測定して、その測定された実送信電力をＴＦＣ選択部１１１に通知する。ＴＦＣ選択部１１１は、使用中のＴＦＣと実送信電力に基づいて、複数のＴＦＣのそれぞれを使用した場合に必要な電力（所要電力）をそれぞれ推定する。ここで、その必要な電力とは、所定の品質を満たすために必要な電力を意味する。そして、ＴＦＣ選択部１１１は、推定された所要電力に基づいて、複数のＴＦＣのそれぞれを図１に示された３種類の状態のいずれかに分類する。具体的には、推定された所要電力が、過去の所定期間Ｔのうち期間Ｓ以上にわたって、「割当電力ＡＰ−ＤＣＨ」より大きいか否かが判定される。これにより、ＤＣＨに適用される複数のＴＦＣのそれぞれの状態が決定される。【００６２】
図６Ａは、ある移動局１００における複数のＴＦＣ（ＴＦＣＳ）と、それらを使用する際の推定された送信電力のレベルの１例を示す。伝送速度（ビットレート）が高い時、所定の品質を満たすために必要な所要電力は高くなり、伝送速度が低いとき、その所要電力は低くなる。従って、図６Ａにおいて、Ｚ軸は、電力と共に伝送速度をも示す。図６Ａにおいて、ＴＦＣＳは、ＴＦＣ１〜ＴＦＣ６を含む。複数のＴＦＣのそれぞれの状態は、割当電力ＡＰ−ＤＣＨを基準として判定される。例えば、図６Ａにおいて、ＴＦＣ１〜ＴＦＣ３は、第１状態（Supported State）に分類され、ＴＦＣ４は、第２状態（Excess-Power State）に分類され、ＴＦＣ５、ＴＦＣ６は、第３状態（Blocked State）に分類される。これら複数のＴＦＣの状態は、ＴＦＣ状態データ１１２（図４参照）として記憶され、所定のタイミングで更新される。【００６３】
ＴＦＣ選択部１１１は、基地局制御装置３００によって指定されたＴＦＣＳの中から、ＤＣＨに使用される１つのＴＦＣ（選択ＴＦＣ）を、所定の送信間隔ごとに選択する。この時、その選択ＴＦＣは、第３状態（Blocked State）以外のＴＦＣの中から、優先度の高いトランスポートチャネルほど高い伝送速度となるように選択される。その結果、例えば図６Ａにおいて、ＴＦＣ選択部１１１は、選択ＴＦＣとしてＴＦＣ４を選択する。この場合、選択されたＴＦＣ４を使用してＤＣＨで送信を行うのに必要な電力（以下、仮送信電力と参照される）は、ＰＰ−ＤＣＨで表されるとする。【００６４】
上記ＴＦＣの場合と同様に、送信処理部１４０の送信電力測定部１４１は、使用中のＥＴＦＣに対する実送信電力を測定して、その測定された実送信電力をＥＴＦＣ選択部１２１に通知する。ＥＴＦＣ選択部１２１は、使用中のＥＴＦＣと実送信電力に基づいて、複数のＥＴＦＣのそれぞれを使用した場合に必要な電力（所要電力）をそれぞれ推定する。ここで、その必要な電力とは、所定の品質を満たすために必要な電力を意味する。そして、ＥＴＦＣ選択部１２１は、推定された所要電力に基づいて、複数のＥＴＦＣのそれぞれを図１に示された３種類の状態のいずれかに分類する。具体的には、推定された所要電力が、過去の所定期間Ｔのうち期間Ｓ以上にわたって、「割当電力ＡＰ−ＥＤＣＨ」より大きいか否かが判定される。これにより、ＥＤＣＨに適用される複数のＥＴＦＣのそれぞれの状態が決定される。【００６５】
図６Ｂは、ある移動局１００における複数のＥＴＦＣ（ＥＴＦＣＳ）と、それらを使用する際の推定された送信電力のレベルの１例を示す。図６Ｂにおいて、Ｚ軸は、電力と共に伝送速度をも示す。図６Ｂにおいて、ＥＴＦＣＳは、ＥＴＦＣ１〜ＥＴＦＣ６を含む。複数のＥＴＦＣのそれぞれの状態は、割当電力ＡＰ−ＥＤＣＨを基準として判定される。例えば、図６Ｂにおいて、ＥＴＦＣ１〜ＥＴＦＣ３は、第１状態（Supported State）に分類され、ＥＴＦＣ４は、第２状態（Excess-Power State）に分類され、ＥＴＦＣ５、ＥＴＦＣ６は、第３状態（Blocked State）に分類される。これら複数のＥＴＦＣの状態は、ＥＴＦＣ状態データ１２２（図４参照）として記憶され、所定のタイミングで更新される。【００６６】
ＥＴＦＣ選択部１２１は、基地局制御装置３００によって指定されたＥＴＦＣＳの中から、ＥＤＣＨに使用される１つのＥＴＦＣ（選択ＥＴＦＣ）を、所定の送信間隔ごとに選択する。この時、その選択ＥＴＦＣは、第３状態（Blocked State）以外のＴＦＣの中から、優先度の高いトランスポートチャネルほど高い伝送速度となるように選択される。更に、ＥＴＦＣの選択においては、基地局２００から通知された最大ＴＦＣによる伝送速度以下になるＥＴＦＣのみが選択対象となる。その結果、例えば図６Ｂにおいて、ＥＴＦＣ選択部１２１は、選択ＥＴＦＣとしてＥＴＦＣ４を選択する。この場合、選択されたＥＴＦＣ４を使用してＥＤＣＨで送信を行うのに必要な電力は、ＰＰ−ＥＤＣＨで表されるとする。【００６７】
ＴＦＣ選択部１１１によって選択されたＴＦＣ、及びＥＴＦＣ選択部１２１によって選択されたＥＴＦＣは、送信電力制御部１３０の調整部１３２に通知される。調整部１３２は、選択ＴＦＣに対応した仮送信電力ＰＰ−ＤＣＨと選択ＥＴＦＣに対応した仮送信電力ＰＰ−ＥＤＣＨの合計を算出し、その合計電力（＝「ＰＰ−ＤＣＨ」＋「ＰＰ−ＥＤＣＨ」）と最大送信電力ＰＭＡＸとの比較を行う。図６Ｃは、この調整部１３２の動作を説明するための図である。図６Ｃに示されるように、合計電力が最大送信電力ＰＭＡＸよりも大きい場合、調整部１３２は、合計電力が最大送信電力ＰＭＡＸと等しくなるように、仮送信電力ＰＰ−ＤＣＨと仮送信電力ＰＰ−ＥＤＣＨのうち少なくとも１つを調整する。一般的に、データは常に送信されているわけではなく、データが送信されない時間がある。また、割当電力より小さい電力でも、目標となる伝送速度が達成される場合がある。このような時に、未使用の電力を、その電力を必要とする物理チャネルに割当てることが可能となる。【００６８】
このようにして、最終的に、ＤＣＨのための送信電力Ｐ−ＤＣＨと、ＥＤＣＨのための送信電力Ｐ−ＥＤＣＨが決定される。合計電力が最大送信電力ＰＭＡＸよりも小さい場合、仮送信電力ＰＰ−ＤＣＨ及びＰＰ−ＥＤＣＨが、そのまま送信電力Ｐ−ＤＣＨ及び送信電力Ｐ−ＥＤＣＨとなる。送信処理部１４０は、選択ＴＦＣと送信電力Ｐ−ＤＣＨを使用することによって、ＤＣＨによる送信を実行し、選択ＥＴＦＣと送信電力Ｐ−ＥＤＣＨを使用することによって、ＥＤＣＨによる送信を実行する。【００６９】
以上に説明されたように、本発明に係る無線通信システム１０において、移動局１００は、ＴＦＣ選択処理において基準となる割当電力（ＡＰ−ＤＣＨ、ＡＰ−ＥＤＣＨ）を、各々の物理チャネルに対して決定する。従って、移動局１００が使用可能な最大電力ＰＭＡＸ以内で、要求される送信品質を満たすＴＦＣ及びＥＴＦＣを選択できる確率が向上する。【００７０】
以下、割当電力ＡＰ−ＤＣＨ及び割当電力ＡＰ−ＥＤＣＨの決定方法を、更に詳しく説明する。【００７１】
（第一の実施の形態）
本発明の第一の実施の形態において、γＤＣＨ＋γＥＤＣＨ＝１となるように、電力割当係数γＤＣＨ及びγＥＤＣＨが決定される。この時、あるパラメータγを用いると、電力割当係数γＤＣＨは、γＤＣＨ＝γで与えられ、電力割当係数γＥＤＣＨは、γＥＤＣＨ＝１−γで与えられる。ここで、パラメータγは、０以上１以下の数である。この時、上述の式（１）は、次の式（２）に変形される。【００７２】
ＡＰ−ＤＣＨ  ＝γ×ＰＡＶＬ
ＡＰ−ＥＤＣＨ＝（１−γ）×ＰＡＶＬ    …（２）【００７３】
図７は、複数のＴＦＣと複数のＥＴＦＣの状態、及び割当電力ＡＰ−ＤＣＨと割当電力ＡＰ−ＥＤＣＨの関係を示す図である。式（２）に示されたように、割当可能電力ＰＡＶＬは、割当電力ＡＰ−ＤＣＨと割当電力ＡＰ−ＥＤＣＨとに分配される。図７において、ＥＴＦＣＳは、ＥＴＦＣ１〜ＥＴＦＣ６を含み、ＴＦＣＳは、ＴＦＣ１〜ＴＦＣ６を含む。複数のＥＴＦＣのそれぞれの状態は、割当電力ＡＰ−ＥＤＣＨを基準として判定される。例えば、図７において、ＥＴＦＣ１〜ＥＴＦＣ４は、第１状態（Supported State）に分類され、ＥＴＦＣ５は、第２状態（Excess-Power State）に分類され、ＥＴＦＣ６は、第３状態（Blocked State）に分類される。また、複数のＴＦＣのそれぞれの状態は、割当電力ＡＰ−ＤＣＨを基準として判定される。例えば、図７において、ＴＦＣ１〜ＴＦＣ３は、第１状態（Supported State）に分類され、ＴＦＣ４は、第２状態（Excess-Power State）に分類され、ＴＦＣ５、ＴＦＣ６は、第３状態（Blocked State）に分類される。この時、ＥＴＦＣ選択部１２１は、ＥＴＦＣ５を選択ＥＴＦＣとして選択し、ＴＦＣ選択部１１１は、ＴＦＣ４を選択ＴＦＣとして選択する。本実施の形態において、仮送信電力ＰＰ−ＤＣＨと仮送信電力ＰＰ−ＥＤＣＨとの合計電力は、割当可能電力ＰＡＶＬよりも小さくなる。【００７４】
次に、本発明の第一の実施の形態における、上述のパラメータγの具体的な決定方法について詳しく説明する。【００７５】
（実施例１−１）
基地局制御装置３００の制御部３２０は、移動局１００が通信中のサービスの種類に関する情報を抽出する。このサービスの種類として、例えば、ＦＴＰによるファイル転送といったバースト性の高いサービスや、ストリーミングといったバースト性の低いサービスが挙げられる。制御部３２０は、このサービスの種類に関する情報を、電力割当パラメータ決定部３３０に送る。また、制御部３２０は、「トランスポートチャネルの数」に関する情報を、電力割当パラメータ決定部３３０に送る。例えば、ＤＣＨに対応した複数のトランスポートチャネルの数がＭ（Ｍは自然数）であり、ＥＤＣＨに対応した複数のトランスポートチャネルの数がＮ（Ｎは自然数）であるとする。この時、これら数Ｍ、Ｎが、電力割当パラメータ決定部３３０に通知される。【００７６】
本発明の第一の実施の形態において、電力割当パラメータ決定部３３０は、移動局１００の電力割当部１３１が上記パラメータγを決定する際の指標となる「範囲」を指定する。図８は、この「範囲」を説明するための図である。図８に示されるように、この「範囲」は、中央値γ０と、その中央値γ０からの幅Δγによって規定される。あるいは、この「範囲」は、最大値γｍａｘと最小値γｍｉｎよって規定される。この「範囲」は、０から１の間に存在する。すなわち、最大値γｍａｘと最小値γｍｉｎは、０以上１以下の数である。この時、γｍａｘとγｍｉｎは、以下の式（３）により与えられる。【００７７】
γｍａｘ＝ｍｉｎ（γ０＋Δγ，  １）
γｍｉｎ＝ｍａｘ（γ０−Δγ，  ０）  …（３）【００７８】
本実施例において、電力パラメータ決定部３３０は、中央値γ０を「トランスポートチャネルの数」に基づいて決定する。具体的には、中央値γ０は、上述の数Ｍ、Ｎを用いて、γ０＝Ｍ／（Ｍ＋Ｎ）により与えられる。尚、電力割当係数γＤＣＨを（１−γ）で表し、電力割当係数γＥＤＣＨをγで表す場合、中央値γ０は、γ０＝Ｎ／（Ｍ＋Ｎ）により与えられる。また、電力パラメータ決定部３３０は、幅Δγと通信の「バースト性」とが相関を有するように、幅Δγを決定する。つまり、通信中のサービスのバースト性が高くなるほど、幅Δγは大きく設定される。例えば、ＦＴＰによるファイル転送といったサービスの場合、幅Δγは、ストリーミングといったサービスの場合の幅Δγよりも大きく設定される。【００７９】
以上のように決定された「範囲」は、基地局制御装置３００から移動局１００に通知される。つまり、本実施の形態において、上述の電力割当パラメータは、中央値γ０と幅Δγ、あるいは最大値γｍａｘと最小値γｍｉｎを示す。例えば、最大値γｍａｘと最小値γｍｉｎが、基地局制御装置３００の電力割当パラメータ決定部３３０から、移動局１００の電力割当部１３１に送られる。【００８０】
移動局１００の電力割当部１３１は、基地局制御装置３００が通知した「範囲」の中から、つまり最大値γｍａｘと最小値γｍｉｎの間で、パラメータγを選択する（図８参照）。ここで、電力割当部１３１は、ＤＣＨバッファ１１５に格納されているデータの量と、ＥＤＣＨバッファ１２５に格納されているデータの量の比較を行い、その比較結果に基づいてパラメータγを決定する。具体的には、ＤＣＨバッファ１１５に格納されているデータの量（以下、ＤＣＨ送信データ量と参照される）が、ＥＤＣＨバッファ１２５に格納されているデータの量（以下、ＥＤＣＨ送信データ量と参照される）より多いほど、電力割当部１３１は、パラメータγを大きく設定する。よって、ＤＣＨ送信データ量がＥＤＣＨ送信データ量より多い場合、パラメータγは、中央値γ０と最大値γｍａｘの間の値となる。逆に、ＤＣＨ送信データ量がＥＤＣＨ送信データ量より多い場合、パラメータγは、中央値γ０と最小値γｍｉｎの間の値となる。ＤＣＨ送信データ量がＥＤＣＨ送信データ量と等しい場合、パラメータγは、中央値γ０となる。電力割当部１３１は、ＤＣＨ送信データ量とＥＤＣＨ送信データ量との比を算出し、算出された比に基づいてパラメータγを決定してもよい。【００８１】
以上に説明されたように、本実施例によれば、中央値γ０は、トランスポートチャネルの数に基づいて決定される。つまり、ＤＣＨで送信されるトランスポートチャネルの数Ｍが、ＥＤＣＨで送信されるトランスポートチャネルの数Ｎより大きい場合、割当電力ＡＰ−ＤＣＨは、割当電力ＡＰ−ＥＤＣＨより大きくなる傾向にある。逆に、ＥＤＣＨで送信されるトランスポートチャネルの数Ｎが、ＤＣＨで送信されるトランスポートチャネルの数Ｍより大きい場合、割当電力ＡＰ−ＥＤＣＨは、割当電力ＡＰ−ＤＣＨより大きくなる傾向にある。このように、トランスポートチャネルの数が多い物理チャネルほど、多くの割当電力が割当てられる傾向が実現される。従って、要求される送信品質を満たすように、複数の物理チャネル間で送信電力リソースを配分することが可能となる。【００８２】
更に、パラメータγは、基地局制御装置３００が指定する「範囲」内で調整され得る。このパラメータγの調整は、ＤＣＨ送信データ量とＥＤＣＨ送信データ量とを比較することにより行われる。つまり、より高い伝送速度を必要とする物理チャネルに、より多い割当電力が割当てられるようになる。これにより、送信電力リソースを有効に活用することが可能となり、又、情報処理量及びサービス品質を向上させることが可能となる。ここで、その範囲（幅Δγ）は、サービスのバースト性が考慮されて決定される。バースト性が高いサービスを含む通信の場合、幅Δγが大きく設定される。これにより、移動局１００が選択することができるパラメータγの範囲が拡大する。その結果、サービスのバースト性が高い場合に、上述のパラメータγの調整はより有効に作用することになる。【００８３】
（実施例１−２）
本実施例において、電力パラメータ決定部３３０は、中央値γ０を「要求される伝送速度」に基づいて決定する。例えば、ＤＣＨを用いたデータ送信に要求される伝送速度が６４ｋｂｐｓであり、ＥＤＣＨを用いたデータ送信に要求される伝送速度が１２８ｋｂｐｓであるとする。この時、割当電力ＡＰ−ＥＤＣＨが割当電力ＡＰ−ＤＣＨより大きくなる確率が高くなるように、中央値γ０は、０．５より小さな値に設定される。ＤＣＨを用いたデータ送信に要求される伝送速度がＡであり、ＥＤＣＨを用いたデータ送信に要求される伝送速度がＢである時、電力パラメータ決定部３３０は、中央値γ０をＡ／（Ａ＋Ｂ）に設定してもよい。尚、電力割当係数γＤＣＨを（１−γ）で表し、電力割当係数γＥＤＣＨをγで表す場合、中央値γ０は、Ｂ／（Ａ＋Ｂ）で与えられる。【００８４】
このように、電力パラメータ決定部３３０は、それぞれの物理チャネルに要求される伝送速度を比較する。そして、電力パラメータ決定部３３０は、大きな伝送速度が要求される物理チャネルに割り当てられる割当電力が大きくなる確率が高くなるように、中央値γ０を決定する。幅Δγは、上述の実施例の場合と同様に、その幅Δγと通信の「バースト性」が相関を有するように決定される。移動局１００の電力割当部１３１は、電力パラメータ決定部３３０が指定した「範囲」から、パラメータγを決定する。【００８５】
以上に説明されたように、要求される伝送速度が多い物理チャネルほど、多くの割当電力が割当てられる傾向が実現される。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【００８６】
（実施例１−３）
本実施例において、電力パラメータ決定部３３０は、中央値γ０を「要求される遅延時間」に基づいて決定する。例えば、ＤＣＨが通話データの送信に用いられ、ＥＤＣＨがファイル転送に用いられるとする。この時、通話データに対する遅延時間の方が、ファイル転送に対する遅延時間よりも小さいことが望まれる。従って、割当電力ＡＰ−ＤＣＨが割当電力ＡＰ−ＥＤＣＨより大きくなる確率が高くなるように、中央値γ０は、０．５より大きな値に設定される。尚、電力割当係数γＤＣＨを（１−γ）で表し、電力割当係数γＥＤＣＨをγで表す場合、中央値γ０は、０．５より小さい値に設定される。【００８７】
このように、電力パラメータ決定部３３０は、それぞれの物理チャネルに要求される遅延時間を比較する。そして、電力パラメータ決定部３３０は、少ない遅延時間が要求される物理チャネルに割り当てられる割当電力が大きくなる確率が高くなるように、中央値γ０を決定する。幅Δγは、上述の実施例の場合と同様に、その幅Δγと通信の「バースト性」が相関を有するように決定される。移動局１００の電力割当部１３１は、電力パラメータ決定部３３０が指定した「範囲」から、パラメータγを決定する。【００８８】
以上に説明されたように、少ない遅延時間が要求される物理チャネルほど、多くの割当電力が割当てられる傾向が実現される。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【００８９】
（実施例１−４）
本実施例において、電力パラメータ決定部３３０は、中央値γ０を「優先度」に基づいて決定する。例えば、ＤＣＨによるデータ伝送には伝送速度保証サービスが適用されており、ＥＤＣＨによるデータ伝送にはベストエフォートサービスが適用されているとする。この時、ＤＣＨによるデータ伝送の優先度は、ＥＤＣＨによるデータ伝送の優先度よりも高く設定される。従って、割当電力ＡＰ−ＤＣＨが割当電力ＡＰ−ＥＤＣＨより大きくなる確率が高くなるように、中央値γ０は、０．５より大きな値に設定される。尚、電力割当係数γＤＣＨを（１−γ）で表し、電力割当係数γＥＤＣＨをγで表す場合、中央値γ０は、０．５より小さい値に設定される。【００９０】
このように、電力パラメータ決定部３３０は、それぞれの物理チャネルによるデータ伝送の優先度を比較する。そして、電力パラメータ決定部３３０は、高い優先度を有する物理チャネルに割り当てられる割当電力が大きくなる確率が高くなるように、中央値γ０を決定する。幅Δγは、上述の実施例の場合と同様に、その幅Δγと通信の「バースト性」が相関を有するように決定される。移動局１００の電力割当部１３１は、電力パラメータ決定部３３０が指定した「範囲」から、パラメータγを決定する。【００９１】
以上に説明されたように、高い優先度を有する物理チャネルほど、多くの割当電力が割当てられる傾向が実現される。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【００９２】
（第二の実施の形態）
本発明の第二の実施の形態において、第一の実施の形態と同様に、γＤＣＨ＋γＥＤＣＨ＝１となるように、電力割当係数γＤＣＨ及びγＥＤＣＨが決定される（図７参照）。この時、あるパラメータγを用いると、電力割当係数γＤＣＨは、γＤＣＨ＝γで与えられ、電力割当係数γＥＤＣＨは、γＥＤＣＨ＝１−γで与えられる（式（２）参照）。ここで、パラメータγは、０以上１以下の数である。【００９３】
本実施の形態において、パラメータγは、移動局１００の電力割当部１３１によって、０〜１の範囲から直接選択される。これは、第一の実施の形態において、基地局制御装置３００の電力割当パラメータ決定部３３０が決定する最大値γｍａｘ及びγｍｉｎが、それぞれ１と０に固定されることと等価である。これにより、パラメータγを広い選択範囲から選択することが可能となる。移動局１００の電力割当部１３１は、パラメータγを決定した後、上述の式（２）に従って割当電力ＡＰ−ＤＣＨ及び割当電力ＡＰ−ＥＤＣＨを決定する。【００９４】
（実施例２−１）
本実施例において、電力割当部１３１は、パラメータγを「トランスポートチャネルの数」に基づいて決定する。例えば、ＤＣＨに対応した複数のトランスポートチャネルの数がＭ（Ｍは自然数）であり、ＥＤＣＨに対応した複数のトランスポートチャネルの数がＮ（Ｎは自然数）であるとする。この時、パラメータγは、γ＝Ｍ／（Ｍ＋Ｎ）により与えられる。尚、電力割当係数γＤＣＨを（１−γ）で表し、電力割当係数γＥＤＣＨをγで表す場合、パラメータγは、γ＝Ｎ／（Ｍ＋Ｎ）により与えられる。【００９５】
このように、本実施例によれば、ＤＣＨで送信されるトランスポートチャネルの数Ｍが、ＥＤＣＨで送信されるトランスポートチャネルの数Ｎより大きい場合、割当電力ＡＰ−ＤＣＨは、割当電力ＡＰ−ＥＤＣＨより大きくなる。逆に、数Ｎが数Ｍより大きい場合、割当電力ＡＰ−ＥＤＣＨは、割当電力ＡＰ−ＤＣＨより大きくなる傾向にある。このように、トランスポートチャネルの数が多い物理チャネルほど、多くの割当電力が割当てられる。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【００９６】
（実施例２−２）
本実施例において、電力割当部１３１は、パラメータγを「要求される伝送速度」に基づいて決定する。例えば、ＤＣＨを用いたデータ送信に要求される伝送速度が６４ｋｂｐｓであり、ＥＤＣＨを用いたデータ送信に要求される伝送速度が１２８ｋｂｐｓであるとする。この時、割当電力ＡＰ−ＥＤＣＨが割当電力ＡＰ−ＤＣＨより大きくなるように、パラメータγは、０．５より小さな値に設定される。ＤＣＨを用いたデータ送信に要求される伝送速度がＡであり、ＥＤＣＨを用いたデータ送信に要求される伝送速度がＢである時、電力割当部１３１は、パラメータγをＡ／（Ａ＋Ｂ）に設定してもよい。尚、電力割当係数γＤＣＨを（１−γ）で表し、電力割当係数γＥＤＣＨをγで表す場合、パラメータγは、Ｂ／（Ａ＋Ｂ）で与えられる。【００９７】
このように、電力割当部１３１は、それぞれの物理チャネルに要求される伝送速度を比較する。そして、電力割当部１３１は、大きな伝送速度が要求される物理チャネルに割り当てられる割当電力が大きくなるように、パラメータγを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【００９８】
（実施例２−３）
本実施例において、電力割当部１３１は、パラメータγを「要求される遅延時間」に基づいて決定する。例えば、ＤＣＨが通話データの送信に用いられ、ＥＤＣＨがファイル転送に用いられるとする。この時、通話データに対する遅延時間の方が、ファイル転送に対する遅延時間よりも小さいことが望まれる。従って、割当電力ＡＰ−ＤＣＨが割当電力ＡＰ−ＥＤＣＨより大きくなるように、パラメータγは、０．５より大きな値に設定される。尚、電力割当係数γＤＣＨを（１−γ）で表し、電力割当係数γＥＤＣＨをγで表す場合、パラメータγは、０．５より小さい値に設定される。【００９９】
このように、電力割当部１３１は、それぞれの物理チャネルに要求される遅延時間を比較する。そして、電力割当部１３１は、少ない遅延時間が要求される物理チャネルに割り当てられる割当電力が大きくなるように、パラメータγを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１００】
（実施例２−４）
本実施例において、電力割当部１３１は、パラメータγを「優先度」に基づいて決定する。例えば、ＤＣＨによるデータ伝送には伝送速度保証サービスが適用されており、ＥＤＣＨによるデータ伝送にはベストエフォートサービスが適用されているとする。この時、ＤＣＨによるデータ伝送の優先度は、ＥＤＣＨによるデータ伝送の優先度よりも高く設定される。従って、割当電力ＡＰ−ＤＣＨが割当電力ＡＰ−ＥＤＣＨより大きくなるように、パラメータγは、０．５より大きな値に設定される。尚、電力割当係数γＤＣＨを（１−γ）で表し、電力割当係数γＥＤＣＨをγで表す場合、パラメータγは、０．５より小さい値に設定される。【０１０１】
このように、電力割当部１３１は、それぞれの物理チャネルによるデータ伝送の優先度を比較する。そして、電力割当部１３１は、高い優先度を有する物理チャネルに割り当てられる割当電力が大きくなるように、パラメータγを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１０２】
（第三の実施の形態）
本発明の第三の実施の形態において、第一の実施の形態と同様に、γＤＣＨ＋γＥＤＣＨ＝１となるように、電力割当係数γＤＣＨ及びγＥＤＣＨが決定される（図７参照）。この時、あるパラメータγを用いると、電力割当係数γＤＣＨは、γＤＣＨ＝γで与えられ、電力割当係数γＥＤＣＨは、γＥＤＣＨ＝１−γで与えられる（式（２）参照）。ここで、パラメータγは、０以上１以下の数である。【０１０３】
本実施の形態において、パラメータγは、基地局制御装置３００の電力割当パラメータ決定部３３０によって、０〜１の範囲から直接選択される。つまり、電力割当パラメータは、パラメータγを示す。電力割当パラメータ決定部３３０は、決定されたパラメータγを、移動局１００の電力割当部１３１に通知する。電力割当部１３１は、通知されたパラメータγを用い、上述の式（２）に従って割当電力ＡＰ−ＤＣＨ及び割当電力ＡＰ−ＥＤＣＨを決定する。【０１０４】
（実施例３−１）
本実施例において、電力割当パラメータ決定部３３０は、パラメータγを「トランスポートチャネルの数」に基づいて決定する。例えば、ＤＣＨに対応した複数のトランスポートチャネルの数がＭ（Ｍは自然数）であり、ＥＤＣＨに対応した複数のトランスポートチャネルの数がＮ（Ｎは自然数）であるとする。この時、パラメータγは、γ＝Ｍ／（Ｍ＋Ｎ）により与えられる。尚、電力割当係数γＤＣＨを（１−γ）で表し、電力割当係数γＥＤＣＨをγで表す場合、パラメータγは、γ＝Ｎ／（Ｍ＋Ｎ）により与えられる。【０１０５】
このように、本実施例によれば、ＤＣＨで送信されるトランスポートチャネルの数Ｍが、ＥＤＣＨで送信されるトランスポートチャネルの数Ｎより大きい場合、割当電力ＡＰ−ＤＣＨは、割当電力ＡＰ−ＥＤＣＨより大きくなる。逆に、数Ｎが数Ｍより大きい場合、割当電力ＡＰ−ＥＤＣＨは、割当電力ＡＰ−ＤＣＨより大きくなる傾向にある。このように、トランスポートチャネルの数が多い物理チャネルほど、多くの割当電力が割当てられる。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１０６】
（実施例３−２）
本実施例において、電力割当パラメータ決定部３３０は、パラメータγを「要求される伝送速度」に基づいて決定する。例えば、ＤＣＨを用いたデータ送信に要求される伝送速度が６４ｋｂｐｓであり、ＥＤＣＨを用いたデータ送信に要求される伝送速度が１２８ｋｂｐｓであるとする。この時、割当電力ＡＰ−ＥＤＣＨが割当電力ＡＰ−ＤＣＨより大きくなるように、パラメータγは、０．５より小さな値に設定される。ＤＣＨを用いたデータ送信に要求される伝送速度がＡであり、ＥＤＣＨを用いたデータ送信に要求される伝送速度がＢである時、電力割当パラメータ決定部３３０は、パラメータγをＡ／（Ａ＋Ｂ）に設定してもよい。尚、電力割当係数γＤＣＨを（１−γ）で表し、電力割当係数γＥＤＣＨをγで表す場合、パラメータγは、Ｂ／（Ａ＋Ｂ）で与えられる。【０１０７】
このように、電力割当パラメータ決定部３３０は、それぞれの物理チャネルに要求される伝送速度を比較する。そして、電力割当パラメータ決定部３３０は、大きな伝送速度が要求される物理チャネルに割り当てられる割当電力が大きくなるように、パラメータγを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１０８】
（実施例３−３）
本実施例において、電力割当パラメータ決定部３３０は、パラメータγを「要求される遅延時間」に基づいて決定する。例えば、ＤＣＨが通話データの送信に用いられ、ＥＤＣＨがファイル転送に用いられるとする。この時、通話データに対する遅延時間の方が、ファイル転送に対する遅延時間よりも小さいことが望まれる。従って、割当電力ＡＰ−ＤＣＨが割当電力ＡＰ−ＥＤＣＨより大きくなるように、パラメータγは、０．５より大きな値に設定される。尚、電力割当係数γＤＣＨを（１−γ）で表し、電力割当係数γＥＤＣＨをγで表す場合、パラメータγは、０．５より小さい値に設定される。【０１０９】
このように、電力割当パラメータ決定部３３０は、それぞれの物理チャネルに要求される遅延時間を比較する。そして、電力割当パラメータ決定部３３０は、少ない遅延時間が要求される物理チャネルに割り当てられる割当電力が大きくなるように、パラメータγを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１１０】
（実施例３−４）
本実施例において、電力割当パラメータ決定部３３０は、パラメータγを「優先度」に基づいて決定する。例えば、ＤＣＨによるデータ伝送には伝送速度保証サービスが適用されており、ＥＤＣＨによるデータ伝送にはベストエフォートサービスが適用されているとする。この時、ＤＣＨによるデータ伝送の優先度は、ＥＤＣＨによるデータ伝送の優先度よりも高く設定される。従って、割当電力ＡＰ−ＤＣＨが割当電力ＡＰ−ＥＤＣＨより大きくなるように、パラメータγは、０．５より大きな値に設定される。尚、電力割当係数γＤＣＨを（１−γ）で表し、電力割当係数γＥＤＣＨをγで表す場合、パラメータγは、０．５より小さい値に設定される。【０１１１】
このように、電力割当パラメータ決定部３３０は、それぞれの物理チャネルによるデータ伝送の優先度を比較する。そして、電力割当パラメータ決定部３３０は、高い優先度を有する物理チャネルに割り当てられる割当電力が大きくなるように、パラメータγを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１１２】
（第四の実施の形態）
本発明の第四の実施の形態において、電力割当係数γＤＣＨとγＥＤＣＨの和（γＤＣＨ＋γＥＤＣＨ）が１より大きく２より小さくなるように、電力割当係数γＤＣＨ及びγＥＤＣＨが決定される。【０１１３】
図９は、複数のＴＦＣと複数のＥＴＦＣの状態、及び割当電力ＡＰ−ＤＣＨと割当電力ＡＰ−ＥＤＣＨの関係を示す図である。図９において、ＥＴＦＣＳは、ＥＴＦＣ１〜ＥＴＦＣ６を含み、ＴＦＣＳは、ＴＦＣ１〜ＴＦＣ６を含む。複数のＥＴＦＣのそれぞれの状態は、割当電力ＡＰ−ＥＤＣＨを基準として判定される。例えば、図９において、ＥＴＦＣ１〜ＥＴＦＣ４は、第１状態（Supported State）に分類され、ＥＴＦＣ５は、第２状態（Excess-Power State）に分類され、ＥＴＦＣ６は、第３状態（Blocked State）に分類される。また、複数のＴＦＣのそれぞれの状態は、割当電力ＡＰ−ＤＣＨを基準として判定される。例えば、図９において、ＴＦＣ１〜ＴＦＣ５は、第１状態（Supported State）に分類され、ＴＦＣ６は、第２状態（Excess-Power State）に分類される。この時、ＥＴＦＣ選択部１２１は、ＥＴＦＣ５を選択ＥＴＦＣとして選択し、ＴＦＣ選択部１１１は、ＴＦＣ６を選択ＴＦＣとして選択する。【０１１４】
図９に示されるように、本実施の形態において、仮送信電力ＰＰ−ＤＣＨと仮送信電力ＰＰ−ＥＤＣＨとの合計電力は、割当可能電力ＰＡＶＬよりも大きくなる。よって、その合計電力は、移動局１００の最大送信電力ＰＭＡＸを超える可能性がある。合計電力が最大送信電力ＰＭＡＸを超える場合、図６Ｃに示されたように、移動局１００の調整部１３２は送信電力Ｐ−ＤＣＨ及びＰ−ＥＤＣＨの調整を行う。一般的に、データは常に送信されているわけではなく、データが送信されない時間がある。また、割当電力より小さい電力でも、目標となる伝送速度が達成される場合がある。このような時に、未使用の電力を、その電力を必要とする物理チャネルに割当てることが可能となる。従って、本実施の形態によれば、送信電力リソースを有効活用することが可能となり、情報処理量及びサービス品質を向上させることが可能となる。【０１１５】
本実施の形態において、電力割当係数γＤＣＨ及びγＥＤＣＨのそれぞれを決定するのは、移動局１００の電力割当部１３１である。電力割当部１３１は、電力割当係数γＤＣＨ及びγＥＤＣＨのそれぞれを決定した後、上述の式（１）に従って割当電力ＡＰ−ＤＣＨ及び割当電力ＡＰ−ＥＤＣＨを決定する。【０１１６】
（実施例４−１）
本実施例において、電力割当部１３１は、電力割当係数γＤＣＨ及びγＥＤＣＨを、「トランスポートチャネルの数」に基づいて決定する。例えば、ＤＣＨに対応した複数のトランスポートチャネルの数がＭ（Ｍは自然数）であり、ＥＤＣＨに対応した複数のトランスポートチャネルの数がＮ（Ｎは自然数）であるとする。数Ｍが数Ｎよりも大きい場合、電力割当係数γＤＣＨは、電力割当係数γＥＤＣＨよりも大きくなるように決定される。数Ｎが数Ｍよりも大きい場合、電力割当係数γＥＤＣＨは、電力割当係数γＤＣＨよりも大きくなるように決定される。数Ｎと数Ｍが等しい場合、電力割当係数γＤＣＨと電力割当係数γＥＤＣＨは、同じ値に設定される。例えば、電力割当部１３１は、γＤＣＨ：γＥＤＣＨ＝Ｍ：Ｎとなるように、電力割当係数γＤＣＨ及びγＥＤＣＨを決定してもよい。【０１１７】
このように、本実施例によれば、ＤＣＨで送信されるトランスポートチャネルの数Ｍが、ＥＤＣＨで送信されるトランスポートチャネルの数Ｎより大きい場合、割当電力ＡＰ−ＤＣＨは、割当電力ＡＰ−ＥＤＣＨより大きくなる。逆に、数Ｎが数Ｍより大きい場合、割当電力ＡＰ−ＥＤＣＨは、割当電力ＡＰ−ＤＣＨより大きくなる傾向にある。このように、トランスポートチャネルの数が多い物理チャネルほど、多くの割当電力が割当てられる。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１１８】
（実施例４−２）
本実施例において、電力割当部１３１は、電力割当係数γＤＣＨ及びγＥＤＣＨを、「要求される伝送速度」に基づいて決定する。例えば、ＤＣＨを用いたデータ送信に要求される伝送速度が６４ｋｂｐｓであり、ＥＤＣＨを用いたデータ送信に要求される伝送速度が１２８ｋｂｐｓであるとする。この時、割当電力ＡＰ−ＥＤＣＨが割当電力ＡＰ−ＤＣＨより大きくなるように、電力割当係数γＥＤＣＨは、電力割当係数γＤＣＨよりも大きくなるように決定される。ＤＣＨを用いたデータ送信に要求される伝送速度がＡであり、ＥＤＣＨを用いたデータ送信に要求される伝送速度がＢである時、電力割当部１３１は、γＤＣＨ：γＥＤＣＨ＝Ａ：Ｂとなるように、電力割当係数γＤＣＨ及びγＥＤＣＨを決定してもよい。【０１１９】
このように、電力割当部１３１は、それぞれの物理チャネルに要求される伝送速度を比較する。そして、電力割当部１３１は、大きな伝送速度が要求される物理チャネルに割り当てられる割当電力が大きくなるように、電力割当係数γＤＣＨ及びγＥＤＣＨを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１２０】
（実施例４−３）
本実施例において、電力割当部１３１は、電力割当係数γＤＣＨ及びγＥＤＣＨを、「要求される遅延時間」に基づいて決定する。例えば、ＤＣＨが通話データの送信に用いられ、ＥＤＣＨがファイル転送に用いられるとする。この時、通話データに対する遅延時間の方が、ファイル転送に対する遅延時間よりも小さいことが望まれる。従って、割当電力ＡＰ−ＤＣＨが割当電力ＡＰ−ＥＤＣＨより大きくなるように、電力割当係数γＤＣＨは、電力割当係数γＥＤＣＨよりも大きくなるように決定される。【０１２１】
このように、電力割当部１３１は、それぞれの物理チャネルに要求される遅延時間を比較する。そして、電力割当部１３１は、少ない遅延時間が要求される物理チャネルに割り当てられる割当電力が大きくなるように、電力割当係数γＤＣＨ及びγＥＤＣＨを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１２２】
（実施例４−４）
本実施例において、電力割当部１３１は、電力割当係数γＤＣＨ及びγＥＤＣＨを、「優先度」に基づいて決定する。例えば、ＤＣＨによるデータ伝送には伝送速度保証サービスが適用されており、ＥＤＣＨによるデータ伝送にはベストエフォートサービスが適用されているとする。この時、ＤＣＨによるデータ伝送の優先度は、ＥＤＣＨによるデータ伝送の優先度よりも高く設定される。従って、割当電力ＡＰ−ＤＣＨが割当電力ＡＰ−ＥＤＣＨより大きくなるように、電力割当係数γＤＣＨは、電力割当係数γＥＤＣＨよりも大きくなるように決定される。【０１２３】
このように、電力割当部１３１は、それぞれの物理チャネルによるデータ伝送の優先度を比較する。そして、電力割当部１３１は、高い優先度を有する物理チャネルに割り当てられる割当電力が大きくなるように、電力割当係数γＤＣＨ及びγＥＤＣＨを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１２４】
（第五の実施の形態）
本発明の第五の実施の形態において、第四の実施の形態と同様に、電力割当係数γＤＣＨとγＥＤＣＨの和（γＤＣＨ＋γＥＤＣＨ）が１より大きく２より小さくなるように、電力割当係数γＤＣＨ及びγＥＤＣＨが決定される（図９参照）。【０１２５】
本実施の形態において、電力割当係数γＤＣＨ及びγＥＤＣＨのそれぞれを決定するのは、基地局制御装置３００の電力割当パラメータ決定部３３０である。つまり、電力割当パラメータは、電力割当係数γＤＣＨ及びγＥＤＣＨを示す。電力割当パラメータ決定部３３０は、決定された電力割当係数γＤＣＨ及びγＥＤＣＨを、移動局１００の電力割当部１３１に通知する。電力割当部１３１は、通知された電力割当係数γＤＣＨ及びγＥＤＣＨを用い、上述の式（１）に従って割当電力ＡＰ−ＤＣＨ及び割当電力ＡＰ−ＥＤＣＨを決定する。【０１２６】
（実施例５−１）
本実施例において、電力割当パラメータ決定部３３０は、電力割当係数γＤＣＨ及びγＥＤＣＨを、「トランスポートチャネルの数」に基づいて決定する。例えば、ＤＣＨに対応した複数のトランスポートチャネルの数がＭ（Ｍは自然数）であり、ＥＤＣＨに対応した複数のトランスポートチャネルの数がＮ（Ｎは自然数）であるとする。数Ｍが数Ｎよりも大きい場合、電力割当係数γＤＣＨは、電力割当係数γＥＤＣＨよりも大きくなるように決定される。数Ｎが数Ｍよりも大きい場合、電力割当係数γＥＤＣＨは、電力割当係数γＤＣＨよりも大きくなるように決定される。数Ｎと数Ｍが等しい場合、電力割当係数γＤＣＨと電力割当係数γＥＤＣＨは、同じ値に設定される。例えば、電力割当パラメータ決定部３３０は、γＤＣＨ：γＥＤＣＨ＝Ｍ：Ｎとなるように、電力割当係数γＤＣＨ及びγＥＤＣＨを決定してもよい。【０１２７】
このように、本実施例によれば、ＤＣＨで送信されるトランスポートチャネルの数Ｍが、ＥＤＣＨで送信されるトランスポートチャネルの数Ｎより大きい場合、割当電力ＡＰ−ＤＣＨは、割当電力ＡＰ−ＥＤＣＨより大きくなる。逆に、数Ｎが数Ｍより大きい場合、割当電力ＡＰ−ＥＤＣＨは、割当電力ＡＰ−ＤＣＨより大きくなる傾向にある。このように、トランスポートチャネルの数が多い物理チャネルほど、多くの割当電力が割当てられる。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１２８】
（実施例５−２）
本実施例において、電力割当パラメータ決定部３３０は、電力割当係数γＤＣＨ及びγＥＤＣＨを、「要求される伝送速度」に基づいて決定する。例えば、ＤＣＨを用いたデータ送信に要求される伝送速度が６４ｋｂｐｓであり、ＥＤＣＨを用いたデータ送信に要求される伝送速度が１２８ｋｂｐｓであるとする。この時、割当電力ＡＰ−ＥＤＣＨが割当電力ＡＰ−ＤＣＨより大きくなるように、電力割当係数γＥＤＣＨは、電力割当係数γＤＣＨよりも大きくなるように決定される。ＤＣＨを用いたデータ送信に要求される伝送速度がＡであり、ＥＤＣＨを用いたデータ送信に要求される伝送速度がＢである時、電力割当パラメータ決定部３３０は、γＤＣＨ：γＥＤＣＨ＝Ａ：Ｂとなるように、電力割当係数γＤＣＨ及びγＥＤＣＨを決定してもよい。【０１２９】
このように、電力割当パラメータ決定部３３０は、それぞれの物理チャネルに要求される伝送速度を比較する。そして、電力割当パラメータ決定部３３０は、大きな伝送速度が要求される物理チャネルに割り当てられる割当電力が大きくなるように、電力割当係数γＤＣＨ及びγＥＤＣＨを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１３０】
（実施例５−３）
本実施例において、電力割当パラメータ決定部３３０は、電力割当係数γＤＣＨ及びγＥＤＣＨを、「要求される遅延時間」に基づいて決定する。例えば、ＤＣＨが通話データの送信に用いられ、ＥＤＣＨがファイル転送に用いられるとする。この時、通話データに対する遅延時間の方が、ファイル転送に対する遅延時間よりも小さいことが望まれる。従って、割当電力ＡＰ−ＤＣＨが割当電力ＡＰ−ＥＤＣＨより大きくなるように、電力割当係数γＤＣＨは、電力割当係数γＥＤＣＨよりも大きくなるように決定される。【０１３１】
このように、電力割当パラメータ決定部３３０は、それぞれの物理チャネルに要求される遅延時間を比較する。そして、電力割当パラメータ決定部３３０は、少ない遅延時間が要求される物理チャネルに割り当てられる割当電力が大きくなるように、電力割当係数γＤＣＨ及びγＥＤＣＨを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１３２】
（実施例５−４）
本実施例において、電力割当パラメータ決定部３３０は、電力割当係数γＤＣＨ及びγＥＤＣＨを、「優先度」に基づいて決定する。例えば、ＤＣＨによるデータ伝送には伝送速度保証サービスが適用されており、ＥＤＣＨによるデータ伝送にはベストエフォートサービスが適用されているとする。この時、ＤＣＨによるデータ伝送の優先度は、ＥＤＣＨによるデータ伝送の優先度よりも高く設定される。従って、割当電力ＡＰ−ＤＣＨが割当電力ＡＰ−ＥＤＣＨより大きくなるように、電力割当係数γＤＣＨは、電力割当係数γＥＤＣＨよりも大きくなるように決定される。【０１３３】
このように、電力割当パラメータ決定部３３０は、それぞれの物理チャネルによるデータ伝送の優先度を比較する。そして、電力割当パラメータ決定部３３０は、高い優先度を有する物理チャネルに割り当てられる割当電力が大きくなるように、電力割当係数γＤＣＨ及びγＥＤＣＨを決定する。従って、要求される送信品質を満たすように、複数の物理チャネル間で送信電力リソースを配分することが可能となる。また、送信電力リソースを有効に活用することが可能となり、情報処理量及びサービス品質を向上させることが可能となる。【０１３４】
以上の説明において、ＤＣＨとＥＤＣＨの２つのチャネルが示されたが、移動局１００が送信する物理チャネルはこれら２つに対応したものに限られない。移動局１００は、複数の物理チャネルによって通信を実行してもよい。
【図１】
0004666230.tif 000002
【図２】
0004666230.tif 000003
【図３】
0004666230.tif 000004
【図４】
0004666230.tif 000005
【図５】
0004666230.tif 000006
【図６Ａ】
0004666230.tif 000007
【図６Ｂ】
0004666230.tif 000008
【図６Ｃ】
0004666230.tif 000009
【図７】
0004666230.tif 000010
【図８】
0004666230.tif 000011
【図９】
0004666230.tif 000012